(57)【要約】【課題】より大きな音を出力でき、且つ、サイズが可変な静電型スピーカを提供する。【解決手段】本発明の静電型スピーカは、ギャップ材と、振動膜と、複数の固定電極と、を備える。振動膜は、導電性を有し、ギャップ材の一方主面に配置される。複数の固定電極は、それぞれ導電性を有し、ギャップ材の他方主面に配置される。そして、複数の固定電極は、それぞれ、平面視して、振動膜の内側に配置されている。隣り合う固定電極は、切断可能領域を介して離間している。【選択図】図１
2017175389.tif 000002
【特許請求の範囲】
【請求項１】
ギャップ材と、
導電性を有する振動膜であって、前記ギャップ材の一方主面に配置される振動膜と、
導電性を有する複数の固定電極であって、前記ギャップ材の他方主面に配置される複数の固定電極と、
を備え、
前記複数の固定電極は、それぞれ、平面視して、前記振動膜の内側に配置されており、
隣り合う固定電極は、切断可能領域を介して離間している、
静電型スピーカ。
【請求項２】
前記振動膜は、導電膜と、前記導電膜の前記固定電極側の主面に配置される絶縁膜とからなり、
前記絶縁膜は、平面視して、前記固定電極の外側に、前記導電膜と接着されていない剥離可能領域を有する、
請求項１に記載の静電型スピーカ。
【請求項３】
前記剥離可能領域は、前記絶縁膜の対向する二辺に沿っている、
請求項２に記載の静電型スピーカ。
【請求項４】
前記複数の固定電極にそれぞれ接続される複数の抵抗をさらに備え、
前記複数の固定電極は、互いに電気的に接続されている、
請求項１〜３のいずれかに記載の静電型スピーカ。
【請求項５】
前記複数の固定電極の一部は、前記静電型スピーカが折り畳まれると、対向し、
前記対向する固定電極は、互いに逆相となる信号が入力される、
請求項１〜４のいずれかに記載の静電型スピーカ。
【発明の詳細な説明】
【技術分野】
【０００１】
本発明は、複数の電極間に生じる静電力の変化によって放音を行う静電型スピーカに関する。
【背景技術】
【０００２】
現在、特許文献１に記載されているような静電型スピーカが各種考案されている。特許文献１に記載の静電型スピーカは、導電性を有する振動膜を備える。振動膜の主面には、絶縁性のギャップシートを介して、固定極が配置されている。
【０００３】
特許文献１の静電型スピーカでは、振動膜にバイアス電圧が印加され、固定極にオーディオ信号が入力されている。振動膜と固定極との間に生じる静電力は、オーディオ信号によって、変化する。すると、静電型スピーカは、振動膜が振動することで音を放音する。
【先行技術文献】
【特許文献】
【０００４】
【特許文献１】特開２００８−０５４１５４号公報
【発明の概要】
【発明が解決しようとする課題】
【０００５】
しかしながら、特許文献１に記載の静電型スピーカは、固定極と振動膜との間の電圧が高ければ高いほど、その間で放電現象が起こりやすくなる。すなわち、特許文献１に記載の静電型スピーカは、大きな音を出力することが難しい。
【０００６】
また、近年、設置空間及び用途等に応じたサイズで静電型スピーカを使用することが求められている。
【０００７】
したがって、本発明の目的は、より大きな音を出力でき、且つ、サイズが可変な静電型スピーカを提供することにある。
【課題を解決するための手段】
【０００８】
本発明の静電型スピーカは、ギャップ材と、振動膜と、複数の固定電極と、を備える。振動膜は、導電性を有し、ギャップ材の一方主面に配置される。複数の固定電極は、それぞれ導電性を有し、ギャップ材の他方主面に配置される。そして、複数の固定電極は、それぞれ、平面視して、振動膜の内側に配置されている。隣り合う固定電極は、切断可能領域を介して離間している。
【０００９】
この構成では、各固定電極は、平面視において、外周端が振動膜の外周端とずれている。従って、各固定電極の外周端と、振動膜の外周端との間で放電現象が発生しにくくなっている。これにより、静電型スピーカは、より大きな音を放音することができる。
【００１０】
また、切断可能領域であって固定電極の外周端と重ならない位置で、ギャップ材及び振動膜を切断すると、切断後においても各固定電極の外周端は、切断後の振動膜の外周端とずれる。これにより、切断後においても、固定電極の外周端と、切断後の振動膜の外周端との間で放電現象は発生しにくくなっている。すなわち、静電型スピーカは、設置空間及び用途等に応じてサイズを変えるために切断されても、より大きな音を放音することができる。
【発明の効果】
【００１１】
本発明の静電型スピーカは、より大きな音を出力でき、且つ、サイズが可変である。
【図面の簡単な説明】
【００１２】
【図１】図１は、本発明の実施形態１に係る静電型スピーカを備えるスピーカ装置の概略構成を示す図である。
【図２】図２（Ａ）は、同静電型スピーカの分解斜視図であり、図２（Ｂ）は、同静電型スピーカの側面図である。
【図３】図３（Ａ）は、同静電型スピーカの正面図であり、図３（Ｂ）は、同静電型スピーカの背面図である。
【図４】図４は、同静電型スピーカの切断を示す概念図である。
【図５】図５は、実施形態２に係る静電型スピーカの切断を示す概念図である。
【図６】図６（Ａ）、図６（Ｂ）、及び図６（Ｃ）は、静電型スピーカの製造の各工程を示す図である。
【図７】図７は、静電型スピーカの入力端子を示す図である。
【図８】図８（Ａ）は、スピーカ装置の電気的構成を示す回路図であり、図８（Ｂ）は、スピーカ装置の回路の一部を示す図である。
【図９】図９（Ａ）は、実施形態３に係る静電型スピーカの回路の一部を示す図であり、図９（Ｂ）は、同静電型スピーカの周波数特性を示す図である。
【図１０】図１０（Ａ）は、実施形態４に係る静電型スピーカの複数の固定電極の配置を示す図であり、図１０（Ｂ）は、実施形態５に係る静電型スピーカ複数の固定電極の配置を示す図である。
【図１１】図１１（Ａ）は、実施形態６に係る静電型スピーカの複数の固定電極の配置を示す図であり、図１１（Ｂ）は、実施形態７に係る静電型スピーカの複数の固定電極の配置を示す図である。
【図１２】図１２（Ａ）及び図１２（Ｂ）は、それぞれ、折り畳んだ静電型スピーカの側面図である。
【発明を実施するための形態】
【００１３】
本発明の実施形態１に係る静電型スピーカ１０について図を参照しつつ説明する。図１は、静電型スピーカ１０を備えるスピーカ装置１００の概略構成を示す図である。図２（Ａ）は、静電型スピーカ１０の分解斜視図であり、図２（Ｂ）は、静電型スピーカ１０の側面図である。図３（Ａ）は、静電型スピーカ１０の正面図であり、図３（Ｂ）は、静電型スピーカ１０の背面図である。図３（Ａ）及び図３（Ｂ）において、薄墨は切断可能領域５５Ｗ，５５Ｈ，５６Ｗ，５６Ｈを示す。
【００１４】
図１に示すように、スピーカ装置１００は、コントローラボックス９０と、静電型スピーカ１０とを備えている。静電型スピーカ１０は、幅及び高さに比べて厚みが小さい形状である。コントローラボックス９０と静電型スピーカ１０とはケーブルを介して接続されている。静電型スピーカ１０は、コントローラボックス９０から出力されたオーディオ信号に基づいて放音する。ただし、コントローラボックス９０は、本発明に必須の構成ではない。
【００１５】
図２（Ａ）及び図２（Ｂ）に示すように、静電型スピーカ１０は、背面側の固定電極６１Ｕ〜６４Ｕ，６１Ｌ〜６４Ｌと、背面側のギャップ材４０と、振動体５０と、正面側のギャップ材３０と、正面側の固定電極２１Ｕ〜２４Ｕ，２１Ｌ〜２４Ｌとが、厚み方向に沿って順に積層配置されてなる。ただし、実際の静電型スピーカ１０は、これら構成を収納する筐体を備えているが、筐体の図示は省略する。
【００１６】
より具体的には、図２（Ｂ）に示すように、固定電極２１Ｕ〜２４Ｕ，２１Ｌ〜２４Ｌは、それぞれ、樹脂シート２０を介してギャップ材３０の正面に接着されている。固定電極２１Ｕ〜２４Ｕ，２１Ｌ〜２４Ｌは、図３（Ａ）に示すように、マトリックス状に配置されている。具体的には、固定電極２１Ｕ〜２４Ｕは、平面視して、ギャップ材３０の上側に配置されている。固定電極２１Ｌ〜２４Ｌは、平面視して、ギャップ材３０の下側に配置されている。固定電極２１Ｕ〜２４Ｕは、幅方向に沿って順に配置されている。固定電極２１Ｌ〜２４Ｌは、幅方向に沿って順に配置されている。
【００１７】
図２（Ｂ）に示すように、固定電極６１Ｕ〜６４Ｕ，６１Ｌ〜６４Ｌは、樹脂シート６０を介してギャップ材４０の背面に接着されている。固定電極６１Ｕ〜６４Ｕ，６１Ｌ〜６４Ｌは、図３（Ｂ）に示すように、マトリックス状に配置されている。具体的には、固定電極６１Ｕ〜６４Ｕは、平面視して、ギャップ材４０の上側に配置されている。固定電極６１Ｌ〜６４Ｌは、平面視して、ギャップ材４０の下側に配置されている。固定電極６１Ｕ〜６４Ｕは、幅方向に沿って順に配置されている。固定電極６１Ｌ〜６４Ｌは、幅方向に沿って順に配置されている。
【００１８】
固定電極２１Ｕ〜２４Ｕ，２１Ｌ〜２４Ｌ，６１Ｕ〜６４Ｕ，６１Ｌ〜６４Ｌは、それぞれ略同じ矩形状である。図２（Ｂ）に示すように、正面側の固定電極２１Ｕ〜２４Ｕは、背面側の固定電極６１Ｕ〜６４Ｕに対向している。正面側の固定電極２１Ｌ〜２４Ｌは、背面側の固定電極６１Ｌ〜６４Ｌに対向している。
【００１９】
固定電極２１Ｕ〜２４Ｕ，２１Ｌ〜２４Ｌは、内部配線２５によって互いに電気的に接続されている。固定電極６１Ｕ〜６４Ｕ，６１Ｌ〜６４Ｌは、内部配線６５によって互いに電気的に接続されている。ただし、内部配線２５，６５は、本発明に必須の構成ではない。すなわち、各固定電極に互いに異なる信号が入力される態様であっても構わない。
【００２０】
図２（Ｂ）に示すように、振動体５０は、振動膜５１と、２枚の絶縁シート５２とからなる。一方の絶縁シート５２は、振動膜５１の正面に接着されている。他方の絶縁シート５２は、振動膜５１の背面に接着されている。振動膜５１は、両主面の全領域が絶縁シート５２で覆われている。
【００２１】
正面側のギャップ材３０と正面側の絶縁シート５２は、振動体５０の振動を阻害しない範囲で、接着されている。背面側のギャップ材４０と背面側の絶縁シート５２は、振動体５０の振動を阻害しない範囲で、接着されている。具体的には、ギャップ材３０と正面側の絶縁シート５２の間には、絶縁シート５２の平面方向において一定間隔で接着領域を有している。ギャップ材４０と背面側の絶縁シート５２の間には、絶縁シート５２の平面方向において一定間隔で接着領域を有している。
【００２２】
ギャップ材３０，４０と、樹脂シート２０，６０と、及び絶縁シート５２とは、振動膜５１と各固定電極間に静電力が生じやすいように、誘電性を有することが好ましい。
【００２３】
ここで、図２（Ｂ）、及び図３（Ａ）に示すように、複数の固定電極２１Ｕ〜２４Ｕ，２１Ｌ〜２４Ｌは、平面視して、振動膜５１の内側の領域に配置されている。同様に、図２（Ｂ）及び図３（Ｂ）に示すように、複数の固定電極６１Ｕ〜６４Ｕ，６１Ｌ〜６４Ｌは、平面視して、振動膜５１の内側の領域に配置されている。
【００２４】
換言すれば、図３（Ａ）に示すように、振動膜５１の正面は、平面視して、固定電極２１Ｕ〜２４Ｕ，２１Ｌ〜２４Ｌが呈するマトリックス形状２０Ｍの外側に外側領域５５を有している。同様に、図３（Ｂ）に示すように、振動膜５１の背面は、平面視して、固定電極６１Ｕ〜６４Ｕ，６１Ｌ〜６４Ｌが呈するマトリックス形状６０Ｍの外側に外側領域５６を有している。
【００２５】
これにより、図２（Ｂ）に示すように、振動膜５１の幅方向の両端部は、固定電極２１Ｕ〜２４Ｕ，２１Ｌ〜２４Ｌが呈するマトリックス形状２０Ｍと、固定電極６１Ｕ〜６４Ｕ，６１Ｌ〜６４Ｌが呈するマトリックス形状６０Ｍと、の間の空間より外側に位置している。これにより、振動膜５１の幅方向の両端部と、固定電極２１Ｕ〜２４Ｕ，２１Ｌ〜２４Ｌ，６１Ｕ〜６４Ｕ，６１Ｌ〜６４Ｌとの間で放電が生じにくくなっている。
【００２６】
同様に、高さ方向においても、振動膜５１の両端部は、固定電極２１Ｕ〜２４Ｕ，２１Ｌ〜２４Ｌが呈するマトリックス形状２０Ｍと、固定電極６１Ｕ〜６４Ｕ，６１Ｌ〜６４Ｌが呈するマトリックス形状６０Ｍと、の間の空間より外側に位置している。振動膜５１の高さ方向の両端部と、固定電極２１Ｕ〜２４Ｕ，２１Ｌ〜２４Ｌ，６１Ｕ〜６４Ｕ，６１Ｌ〜６４Ｌとの間で放電が生じにくくなっている。
【００２７】
ここで、図３（Ａ）に示すように、表側の固定電極２１Ｕ〜２４Ｕ，２１Ｌ〜２４Ｌのうち、高さ方向に隣り合う固定電極は、幅方向に延びる切断可能領域５５Ｗを介して互いに離間している。固定電極２１Ｕ〜２４Ｕ，２１Ｌ〜２４Ｌのうち、幅方向に隣り合う固定電極は、高さ方向に延びる切断可能領域５５Ｈを介して互いに離間している。
【００２８】
図３（Ｂ）に示すように、裏側の固定電極６１Ｕ〜６４Ｕ，６１Ｌ〜６４Ｌのうち、高さ方向に隣り合う固定電極は、幅方向に延びる切断可能領域５６Ｗを介して互いに離間している。固定電極６１Ｕ〜６４Ｕ，６１Ｌ〜６４Ｌのうち、幅方向に隣り合う固定電極は、高さ方向に延びる切断可能領域５６Ｈを介して互いに離間している。
【００２９】
切断可能領域５５Ｗ，５５Ｈには、電極は配置されていない。切断可能領域５６Ｗ，５６Ｈには、電極は配置されていない。これにより、固定電極の領域に比べて切断可能領域５５Ｗ，５５Ｈ，５６Ｗ，５６Ｈでは静電型スピーカ１０を厚み方向に切断しやすい。
【００３０】
図４は、静電型スピーカ１０の切断例の概念を示す図である。図４に示すように、切断可能領域５５Ｗ，５６Ｗにおいて静電型スピーカ１０を厚み方向に切断する。この際、例えば、切断可能領域５５Ｗ，５６Ｗを高さ方向に分割するように静電型スピーカ１０を切断する。具体的には、切断可能領域５５Ｗ，５６Ｗにおいて、固定電極２１Ｕ〜２４Ｕ，６１Ｕ〜６４Ｕの下側の外周端と重ならず、且つ固定電極２１Ｌ〜２４Ｌ，６１Ｌ〜６４Ｌの上側の外周端と重ならない位置で、静電型スピーカ１０を切断する。すると、上側の静電型スピーカ１０Ｕと、下側の静電型スピーカ１０Ｌとに分割される。
【００３１】
ここで、上側の静電型スピーカ１０Ｕの振動膜５１Ｕは、平面視して、固定電極２１Ｕ〜２４Ｕの下側に、分割された切断可能領域５５ＷＵを有している。これにより、切断後の振動膜５１Ｕの下側の端部は、固定電極２１Ｕ〜２４Ｕと、固定電極６１Ｕ〜６４Ｕとで挟まれる空間よりも外側に位置する。従って、切断後の静電型スピーカ１０Ｕでは、振動膜５１Ｕと固定電極２１Ｕ〜２４Ｕ，６１Ｕ〜６４Ｕとの間で放電が生じにくくなっている。
【００３２】
同様に、下側の静電型スピーカ１０Ｌの振動膜５１Ｌは、平面視して、固定電極２１Ｌ〜２４Ｌの上側に、分割された切断可能領域５５ＷＬを有している。これにより、切断後の振動膜５１Ｌの上側の端部は、固定電極２１Ｌ〜２４Ｌと、固定電極６１Ｌ〜６４Ｌとで挟まれる空間よりも外側に位置する。従って、切断後の静電型スピーカ１０Ｌでは、振動膜５１Ｌと固定電極２１Ｌ〜２４Ｌ，６１Ｌ〜６４Ｌとの間で放電が生じにくくなっている。
【００３３】
以上のように、静電型スピーカ１０は、切断前、及び、切断後において、振動膜５１と固定電極２１Ｕ〜２４Ｕ，２１Ｌ〜２４Ｌ，６１Ｕ〜６４Ｕ，６１Ｌ〜６４Ｌとの間で放電を生じにくくしている。従って、本実施形態に係る静電型スピーカ１０は、より大きな音を放音することができ、且つ、設置空間及び用途等に応じてサイズが可変である。
【００３４】
なお、上述の例は、振動膜５１とギャップ材３０，４０とが略同じ平面形状であったが、ギャップ材３０，４０の平面形状は、振動膜５１の平面形状より小さくても構わない。例えば、ギャップ材３０，４０の平面形状は、複数の固定電極が呈するマトリックス形状２０Ｍ，６０Ｍと略同じ形状であっても構わない。
【００３５】
また、樹脂シート２０は、固定電極２１Ｕ〜２４Ｕ，２１Ｌ〜２４Ｌよりも内側だけに限らず、固定電極２１Ｕ〜２４Ｕ，２１Ｌ〜２４Ｌよりも外側に配置されてもよいし、固定電極２１Ｕ〜２４Ｕ，２１Ｌ〜２４Ｌを挟むように両側に配置されてもよい。同様に、樹脂シート６０は、固定電極６１Ｕ〜６４Ｕ，６１Ｌ〜６４Ｌよりも内側だけに限らず、固定電極６１Ｕ〜６４Ｕ，６１Ｌ〜６４Ｌよりも外側に配置されてもよいし、固定電極６１Ｕ〜６４Ｕ，６１Ｌ〜６４Ｌを挟むように両側に配置されてもよい。ただし、樹脂シート２０，６０は、本実施形態に必須の構成ではない。
【００３６】
また、上述の例では、複数の固定電極が呈するマトリックス形状２０Ｍ，６０Ｍは、２行×４列の固定電極からなる形状であったが、この形状に限らない。例えば、マトリックス形状２０Ｍ，６０Ｍは、静電型スピーカとして必要なサイズに応じて、２行×２列の固定電極からなる形状であってもよい。また、複数の固定電極が呈する形状は、マトリックス形状に限らない。例えば、複数の固定電極が呈する形状は、１行×２列の固定電極からなる形状であってもよい。
【００３７】
次に、図５は、実施形態２に係る静電型スピーカ１０Ａの切断の概念を示す図である。静電型スピーカ１０Ａでは、振動膜５１の領域のうち複数の固定電極が呈するマトリックス形状２０Ｍ，６０Ｍの外側の外側領域５５は、上側の剥離可能領域５５ＰＵと下側の剥離可能領域５５ＰＬとを含んでいる。剥離可能領域５５ＰＵ，５５ＰＬでは、絶縁シート５２が振動膜５１から剥離できる。絶縁シート５２を剥離すると、振動膜５１は、剥離可能領域５５ＰＵ，５５ＰＬにおいて露出する。従って、本実施形態に係る静電型スピーカ１０Ａは、露出する剥離可能領域５５ＰＵ，５５ＰＬにおける振動膜５１への配線の作業性を向上させることができる。
【００３８】
また、図５に示すように、剥離可能領域５５ＰＵと、剥離可能領域５５ＰＬとは、互いに対向する絶縁シート５２の二辺に沿っている。ここで、対向する二辺に平行な方向に延びる切断可能領域５５Ｗにおいて静電型スピーカ１０Ａを厚み方向に切断すると、切断後の静電型スピーカ１０ＡＵ，１０ＡＬに剥離可能領域５５ＰＵ，５５ＰＬが存在していている。これにより、切断後の静電型スピーカ１０ＡＵ，１０ＡＬにおいても、振動膜５１Ｕ，５１Ｌに対する配線の作業性は向上している。
【００３９】
ただし、剥離可能領域の位置は、図５に示す位置に限らない。剥離可能領域は、振動膜５１の外周の一部であればどこであってもよい。
【００４０】
次に、本発明の実施形態に係る静電型スピーカの製造方法について図６（Ａ）〜図６（Ｃ）を用いて説明する。図６（Ａ）、図６（Ｂ）、及び図６（Ｃ）は、静電型スピーカの製造方法の各工程を示す図である。
【００４１】
まず、図６（Ａ）に示すように、両主面が絶縁シートで覆われた電極シートをロールから引き出し、引き出した電極シートの両主面にギャップ材となるシートを貼り付ける。この際、振動体５０の振動が阻害されないように、ギャップ材となるシートと電極シートを数センチ間隔で接着する。次に、図６（Ｂ）に示すように、裏面が樹脂シートで覆われた固定電極をギャップ材となるシートの主面に接着する。この際、固定電極とギャップ材となるシートを全面接着する。また、この際、ギャップ材となるシートの内側に固定電極を配置する。さらに、切断可能領域を介して互いに離間するように、隣り合う固定電極を配置する。そして、図６（Ｃ）に示すように、複数の固定電極を接着した電極シート及びギャップ材となるシートを巻き取る。その後、電極シートの裏面側に対しても図６（Ａ）〜図６（Ｃ）に示す工程を行う。
【００４２】
以上の工程によって、静電型スピーカ１０の母材を、いわゆるロールトゥロールで製造できる。そして、必要なサイズに応じて、固定電極が配置されていない領域で電極シート及びギャップ材となるシートを高さ方向に切断し、配線を施すと、静電型スピーカ１０が製造される。ただし、必要なサイズによっては、固定電極が配置されていない領域で電極シート及びギャップ材となるシートをロール方向（高さ方向と直交する方向）に切断してもよい。
【００４３】
なお、上述の製造方法は一例であり、例えば次のようにして静電型スピーカ１０を製造してもよい。まず、固定電極とギャップ材となるシートを接着する。ギャップ材となるシートを所望サイズに分割する。そして、電極シートに分割したギャップ材となるシートを貼り付ける。このように、ギャップ材となるシートを小さく分割することで、当該シートを電極シートに張り付ける作業は容易になる。
【００４４】
次に、静電型スピーカ１０の配線及び電気的構成について図７、図８（Ａ）及び図８（Ｂ）を用いて説明する。図７は、入力端子６が配置された固定電極２１Ｕの平面図である。図８（Ａ）は、スピーカ装置１００の回路図である。図８（Ｂ）は、静電型スピーカ１０の回路図である。ただし、図８（Ｂ）の回路図は正相のオーディオ信号及びバイアスのみの入力を示している。
【００４５】
図７に示すように、入力端子６は、基板６Ａ、コネクタ６Ｂ、ケーブル６Ｃ，６Ｄ，６Ｆ、及び抵抗６Ｅ１，６Ｅ２を備えている。コネクタ６Ｂ、ケーブル６Ｃ，６Ｄ，６Ｆは、一端が基板６Ａに接続されている。図７に示すように、コネクタ６Ｂには、コントローラボックス９０に接続されたケーブルが接続される。これにより、コントローラボックス９０は、静電型スピーカ１０に、バイアス電圧、正相のオーディオ信号、及び逆相のオーディオ信号を与える。
【００４６】
具体的には、図８（Ａ）に示すように、コントローラボックス９０は、バイアス電圧生成部９１、正相信号生成部９２、及び逆相信号生成部９３、を備えている。正相信号生成部９２はオーディオ信号を生成する。逆相信号生成部９３は、正相信号生成部９２が生成するオーディオ信号の逆相の信号を生成する。
【００４７】
バイアス電圧生成部９１が生成するバイアス電圧は、ケーブル６Ｃを介して振動膜５１に印加される。
【００４８】
正相信号生成部９２が生成するオーディオ信号は、抵抗６Ｅ１、及びケーブル６Ｆを介して固定電極２１Ｕに入力される。このオーディオ信号は、固定電極２２Ｕ〜２４Ｕ，２１Ｌ〜２４Ｌに入力される。逆相信号生成部９３が生成するオーディオ信号は、抵抗６Ｅ２、及びケーブル６Ｄを介して固定電極６１Ｕに入力される。この逆相のオーディオ信号は、固定電極６２Ｕ〜６４Ｕ，６１Ｌ〜６４Ｌに入力される。すると、振動膜５１のうち、固定電極２１Ｕと固定電極６１Ｕに挟まれた領域は、静電力の変化によって、厚み方向に振動する。同様に、振動膜５１のうち、固定電極２２Ｕ〜２４Ｕ，２１Ｌ〜２４Ｌと固定電極６２Ｕ〜６４Ｕ，６１Ｌ〜６４Ｌに挟まれた領域は、静電力の変化によって、厚み方向に振動する。すなわち、静電型スピーカ１０は、いわゆるプッシュプル動作で振動膜５１を厚み方向に振動させることで、オーディオ信号に基づいて放音する。
【００４９】
ここで、図８（Ｂ）の回路図に示すように、固定電極２１Ｕ及び振動膜５１によって形成されるキャパシタＣ１と、抵抗６Ｅ１と、によってローパスフィルタが形成されている。同様に、他の各固定電極及び振動膜５１からなるキャパシタＣ２〜Ｃ８と、抵抗６Ｅ１と、によって７個のローパスフィルタが形成されている。図示は省略するが、背面側についても同様に、各固定電極及び振動膜５１からなるキャパシタと、抵抗６Ｅ２とで、８個のローパスフィルタが形成されている。
【００５０】
ここで、ローパスフィルタのカットオフ周波数ｆは、キャパシタンスに反比例する。本実施形態は、振動膜５１の平面形状に比べて、各固定電極の平面形状を小さくしている。すなわち、本実施形態では、各ローパスフィルタのキャパシタンスを小さくしている。これにより、各ローパスフィルタのカットオフ周波数ｆは高くなっている。従って、本実施形態に係る静電型スピーカ１０は、高域の音の減衰を防止することができる。
【００５１】
次に、実施形態３に係る静電型スピーカ１０Ｂについて図９（Ａ）を用いて説明する。図９（Ａ）は、静電型スピーカ１０Ｂの回路図である。
【００５２】
静電型スピーカ１０Ｂは、オーディオ信号の周波数特性を調整するイコライズ部品を備える点において、実施形態１に係る静電型スピーカ１０と相違する。具体的には、静電型スピーカ１０Ｂは、図９（Ａ）の回路図に示すように、抵抗７Ｒ及びキャパシタ７Ｃの直列回路を備えている。この直列回路は、一端が抵抗６Ｅ１とキャパシタＣ１との間に接続され、他端が抵抗６Ｅ２とキャパシタＣ６の間に接続されている。ただし、このイコライズの回路は一例である。
【００５３】
抵抗７Ｒとキャパシタ７Ｃの素子値は、低域の音圧をより平坦にするために設定される。図９（Ｂ）を参照しつつ、これら素子値の設定について説明する。図９（Ｂ）の上段は、静電型スピーカの周波数特性を示す。図９（Ｂ）の下段は、イコライズ部品のゲインを示す。図９（Ｂ）の上段において、点線はイコライズ部品を備えない静電型スピーカ１０の放音特性を示す。図９（Ｂ）の上段の実線は、イコライズ後の静電型スピーカ１０Ｂの放音特性を示す。
【００５４】
図９（Ｂ）の点線に示すように、イコライズ部品がない静電型スピーカ１０は、０Ｈｚから周波数ｆ１（Ｈｚ）まで音圧（ｄＢ）が徐々に上がり、周波数ｆ１より高域では音圧が一定である。ここで、イコライズ部品の抵抗７Ｒとキャパシタ７Ｃの素子値を図９（Ｂ）下段に示すゲイン特性となるように設定する。図９（Ｂ）下段に示すように０Ｈｚから周波数ｆ２までのゲインは（周波数ｆ１より高い周波数のゲインより）高く一定値で、周波数ｆ２からｆ１までゲインが徐々に下がり、周波数ｆ１より高域ではゲインが一定である。図９（Ｂ）の上段の実線に示すように、イコライズ部品を備える静電型スピーカ１０Ｂの放音特性は、図９（Ｂ）の上段の点線に示す特性と図９（Ｂ）の下段に示す特性とが合成されたものとなる。合成後の放音特性では、周波数ｆ１より低い周波数ｆ２から高域まで音圧が一定となっている。このように、静電型スピーカ１０Ｂは、音圧が一定の帯域を低域側へ広げることができる。
【００５５】
次に、実施形態４に係る静電型スピーカ１０Ｃについて図１０（Ａ）を用いて説明する。図１０（Ａ）は、複数の固定電極の配置を示す平面図である。静電型スピーカ１０Ｃは、複数の音を放音する点において、実施形態１に係る静電型スピーカ１０と相違する。
【００５６】
図１０（Ａ）に示すように、固定電極Ｕ１〜Ｕ６，Ｌ１〜Ｌ６はマトリックス状に配置されている。固定電極Ｕ１〜Ｕ６は、絶縁シート５２の上側に配置されている。固定電極Ｌ１〜Ｌ６は、絶縁シート５２の下側に配置されている。固定電極Ｕ１，Ｕ２，Ｌ１，Ｌ２は、静電型スピーカ１０Ｃの左側領域２００Ｌに配置されている。固定電極Ｕ３，Ｕ４，Ｌ３，Ｌ４は、静電型スピーカ１０Ｃの中央領域２００Ｃに配置されている。固定電極Ｕ５，Ｕ６，Ｌ５，Ｌ６は、静電型スピーカ１０Ｃの右側領域２００Ｒに配置されている。
【００５７】
静電型スピーカ１０Ｃは、Ｌチャンネルのオーディオ信号用の入力端子６Ｌと、Ｒチャンネルのオーディオ信号用の入力端子６Ｒとを備えている。Ｌチャンネルのオーディオ信号は、入力端子６Ｌを介して固定電極Ｕ１に入力される。固定電極Ｕ１は、内部配線を介して固定電極Ｕ２〜Ｕ４，Ｌ１〜Ｌ２と電気的に接続されている。Ｒチャンネルのオーディオ信号は、入力端子６Ｒを介して固定電極Ｕ６に入力される。固定電極Ｕ６は、内部配線を介して固定電極Ｕ５，Ｌ３〜Ｌ６と電気的に接続されている。
【００５８】
これにより、振動膜５１は、左側領域２００ＬではＬチャンネルのオーディオ信号に基づいて振動する。振動膜５１は、右側領域２００ＲではＲチャンネルのオーディオ信号に基づいて振動する。
【００５９】
振動膜５１は、中央領域２００Ｃの上側ではＬチャンネルのオーディオ信号に基づいて振動する。振動膜５１は、中央領域２００Ｃの下側ではＲチャンネルのオーディオ信号に基づいて振動する。すなわち、静電型スピーカ１０Ｃは、中央領域２００ＣからＬチャンネルの音とＲチャンネルの音を放音する。これら音は、聴取空間で合成され、仮想的なＣチャンネルの音として聴取者に知覚される。
【００６０】
以上のように、本実施形態に係る静電型スピーカ１０Ｃは、Ｌチャンネルの音とＲチャンネルの音を放音できる。また、静電型スピーカ１０Ｃは、Ｌチャンネル及びＲチャンネルのオーディオ信号が入力されるだけで、Ｃチャンネルを含めた３チャンネルの音を仮想的に放音することができる。
【００６１】
ただし、３チャンネルの音を放音するための複数の固定電極の配置及び形状は図１０（Ａ）に示す例に限らない。例えば、次の実施形態５に係る静電型スピーカ１０Ｄでは、図１０（Ｂ）に示すように、中央領域２００Ｃに配置される固定電極Ｕ３Ｄ，Ｕ４Ｄ，Ｌ３Ｄ，Ｌ４Ｄの平面形状は、左側領域２００Ｌ又は右側領域２００Ｒに向かうにつれて高さが徐々に低くなっている。
【００６２】
具体的には、Ｌチャンネルのオーディオ信号が入力される固定電極Ｕ３Ｄ，Ｕ４Ｄは、右側領域２００Ｒに向かうにつれて高さが徐々に低くなっている。すなわち、振動膜５１においてＬチャンネルのオーディオ信号に基づいて振動する領域は、右側領域２００Ｒに向かうにつれて小さくなっている。Ｒチャンネルのオーディオ信号が入力される固定電極Ｌ３Ｄ，Ｌ４Ｄは、左側領域２００Ｌに向かうにつれて高さが徐々に低くなっている。すなわち、振動膜５１においてＲチャンネルのオーディオ信号に基づいて振動する領域は、左側領域２００Ｌに向かうにつれて小さくなっている。
【００６３】
これにより、中央領域２００Ｃにおいて、Ｌチャンネルの音は、左側領域２００Ｌに近づくほど大きくなる。中央領域２００Ｃにおいて、Ｒチャンネルの音は、右側領域２００Ｒに近づくほど大きくなる。その結果、本実施形態に係る静電型スピーカ１０Ｄから放音される音は、左側領域２００Ｌに向かえば向かうほどＬチャンネルの音が支配的になり、右側領域２００Ｒに向かえば向かうほどＲチャンネルの音が支配的になる。その結果、聴取者は、静電型スピーカ１０Ｄに対向する位置に応じて、ＬチャンネルとＲチャンネルの合成割合が自然な音を聞くことができる。
【００６４】
また、静電型スピーカは、３チャンネル以上の音を放音してもよい。例えば、図１１（Ａ）に示す実施形態６に係る静電型スピーカ１０Ｅは、中央領域２００Ｃに配置される固定電極Ｕ３Ｅ，Ｕ４Ｅ，Ｌ３Ｅ，Ｌ４Ｅを備えている。固定電極Ｕ３ＥにはＬチャンネルのオーディオ信号が入力される。固定電極Ｌ４ＥにはＲチャンネルのオーディオ信号が入力される。静電型スピーカ１０Ｅは、入力端子６Ｃ１と入力端子６Ｃ２とを備える。入力端子６Ｃ１にはＣ１チャンネル（副音声１、例えば日本語解説）のオーディオ信号が入力される。そのＣ１チャンネルのオーディオ信号は固定電極Ｕ４Ｅに入力される。入力端子６Ｃ２にはＣ２チャンネル（副音声２、例えば英語解説）のオーディオ信号が入力される。そのＣ２チャンネルのオーディオ信号は固定電極Ｌ３Ｅに入力される。
【００６５】
すると、静電型スピーカ１０Ｅは、Ｌチャンネルの音、Ｒチャンネルの音、副音声１、及び副音声２を中央領域２００Ｃから放音する。
【００６６】
図１１（Ｂ）に示すように、実施形態７に係る静電型スピーカ１０Ｆは、幅方向の中央部に向かうにつれて音量が小さくなる点において、実施形態４に係る静電型スピーカ１０Ｃと相違する。具体的には、静電型スピーカ１０Ｆは、中央領域２００Ｃにおいて、固定電極Ｕ３Ｆ及び固定電極Ｕ４Ｆを備えている。固定電極Ｕ３Ｆには、Ｌチャンネルのオーディオ信号が入力される。固定電極Ｕ４Ｆには、Ｒチャンネルのオーディオ信号が入力される。
【００６７】
固定電極Ｕ３Ｆは、幅方向において、左側領域２００Ｌ側から中央にかけて、高さが徐々に低くなる平面形状である。固定電極Ｕ４Ｆは、幅方向において、右側領域２００Ｒ側から中央にかけて、高さが徐々に低くなる平面形状である。中央領域２００Ｃの中央では、固定電極Ｕ３Ｆ，Ｕ４Ｆの領域はほぼ存在しない。これにより、中央領域２００Ｃから放音される音は、幅方向の中央に向かえば向かうほど音圧が低くなる。ここで、静電型スピーカ１０Ｆが「音が小さくなる場所へ移動してください。」という音を放音すれば、聴取者を中央領域２００Ｃの中央に対向するように移動させるガイダンスを行うことができる。
【００６８】
上述の静電型スピーカは、切断前後において、大きな音を放音するものであったが、以下に示すように、折り畳まれても大きな音を放音することができる。図１２（Ａ）は、折り畳まれた静電型スピーカ１０の側面図である。
【００６９】
図１２（Ａ）に示すように、静電型スピーカ１０は、切断可能領域５５Ｈ，５６Ｈにおいて、厚み方向に折り畳まれている。すなわち、切断可能領域５５Ｈ，５６Ｈは折り畳み可能領域として用いられている。これにより、固定電極２１Ｕと固定電極２４Ｕとは厚み方向に対向している。固定電極２２Ｕと固定電極２３Ｕとは厚み方向に対向している。固定電極６１Ｕと固定電極６４Ｕとは厚み方向に対向している。固定電極６２Ｕと固定電極６３Ｕとは厚み方向に対向している。
【００７０】
固定電極２１Ｕと固定電極２２Ｕとは内部配線２５を介して電気的に接続されている。固定電極２３Ｕと固定電極２４Ｕとは内部配線２５を介して電気的に接続されている。ここで、固定電極２１ＵにはＬチャンネルのオーディオ信号が入力される。固定電極６１ＵにはＬチャンネルのオーディオ信号の逆相のオーディオ信号が入力される。そして、固定電極２４ＵにはＬチャンネルのオーディオ信号の逆相のオーディオ信号が入力される。固定電極６４ＵにはＬチャンネルのオーディオ信号が入力される。
【００７１】
すると、固定電極２１Ｕ，２２Ｕ及び固定電極６１Ｕ，６２Ｕの組から放音される音と、固定電極２３Ｕ，２４Ｕ及び固定電極６３Ｕ，６４Ｕの組から放音される音とは、位相が揃う。これにより、折り畳まれた静電型スピーカ１０は、厚み方向に、さらに大きな音を放音することができる。
【００７２】
なお、次のように、折り畳んだ静電型スピーカ１０にオーディオ信号を入力してもよい。図１２（Ｂ）に示す例では、折り畳んだ静電型スピーカ１０の上側にＬチャンネルのオーディオ信号を入力し、下側にＲチャンネルのオーディオ信号を入力する。すなわち、固定電極２１Ｕ，２２Ｕ，６１Ｕ，６２ＵにはＬチャンネルのオーディオ信号が入力される。固定電極２３Ｕ，２４Ｕ，６３Ｕ，６４ＵにはＲチャンネルのオーディオ信号が入力される。すると、静電型スピーカ１０は、Ｌチャンネルの音と、Ｒチャンネルの音とを厚み方向に放音する。これら音は聴取空間で合成され、仮想的なＣチャンネルの音として知覚される。
【００７３】
ここで、図１２（Ｂ）に示す例では、固定電極２３Ｕ，２４ＵにはＲチャンネルのオーディオ信号の逆相のオーディオ信号が入力される。固定電極６３Ｕ，６４ＵにはＲチャンネルの正相のオーディオ信号が入力される。すなわち、折り畳みによって対向する固定電極２１Ｕ，２２Ｕと固定電極２３Ｕ，２４Ｕとには、異なるチャンネルのオーディオ信号の逆相のオーディオ信号が入力される。同様に、折り畳みによって対向する固定電極６１Ｕ，６２Ｕと、固定電極６３Ｕ，６４Ｕとには、異なるチャンネルのオーディオ信号の逆相のオーディオ信号が入力される。すると、Ｌチャンネルの音及びＲチャンネルの音に含まれる類似する成分は、位相が揃った状態で厚み方向に放音される。従って、図１２（Ｂ）に示す接続では、静電型スピーカ１０は、逆相の音（Ｌチャンネルの音及びＲチャンネルの音に含まれる類似する成分）を同じ方向に出力することを防止している。これにより、図１２（Ｂ）に示す接続は、逆相の音を同じ方向に出力することを防止するので、その音が弱められることを防止することができる。
【符号の説明】
【００７４】
１００…スピーカ装置
１０，１０Ａ，１０ＡＵ，１０ＡＬ，１０Ｂ，１０Ｃ，１０Ｄ，１０Ｅ，１０Ｆ，１０Ｌ，１０Ｕ…静電型スピーカ
２１Ｌ〜２４Ｌ，２１Ｕ〜２４Ｕ，６１Ｌ〜６４Ｌ，６１Ｕ〜６４Ｕ…固定電極
２０，６０…樹脂シート
２０Ｍ，６０Ｍ…マトリックス形状
３０，４０…ギャップ材
５０…振動体
５１，５１Ｕ，５１Ｌ…振動膜
５２…絶縁シート
５５，５６…外側領域
５５ＰＵ，５５ＰＬ…剥離可能領域
５５Ｗ，５５Ｈ，５５ＷＬ，５５ＷＵ，５６Ｗ，５６Ｈ…切断可能領域
６，６Ｌ，６Ｒ…入力端子
６Ｅ１，６Ｅ２…抵抗
７Ｃ…キャパシタ
７Ｒ…抵抗
２５…内部配線
９０…コントローラボックス
９１…バイアス電圧生成部
９２…正相信号生成部
９３…逆相信号生成部
【図１】
2017175389.tif 000003
【図２】
2017175389.tif 000004
【図３】
2017175389.tif 000005
【図４】
2017175389.tif 000006
【図５】
2017175389.tif 000007
【図６】
2017175389.tif 000008
【図７】
2017175389.tif 000009
【図８】
2017175389.tif 000010
【図９】
2017175389.tif 000011
【図１０】
2017175389.tif 000012
【図１１】
2017175389.tif 000013
【図１２】
2017175389.tif 000014